(57)【要約】【課題】複数枚の印刷済み用紙にそれぞれ形成される各パンチ穴の位置を揃える。【解決手段】画像形成装置は、操作パネルと、画像読取部と、印刷部と、後処理部と、複数ページ分の画像データのそれぞれについて、原稿にパンチ穴が形成されている場合に画像データに出現するパンチ領域の位置を検出し、検出したパンチ領域の位置に対応するパンチパターンを認識し、認識したパンチパターンが複数種存在する場合、認識した複数種のパンチパターンをそれぞれ候補パターンに設定し、いずれかの候補パターンを選択するパターン選択操作の受け付けを操作パネルに行わせ、選択された候補パターンに対応する位置にパンチ穴が形成されるよう後処理部を制御する制御部と、を備える。【選択図】図５
2019022104.tif 000002
【特許請求の範囲】
【請求項１】
ユーザーから操作を受け付ける操作パネルと、
原稿の読み取りを行い、複数ページ分の画像データを生成する画像読取部と、
前記複数ページ分の画像データに基づき用紙に印刷を行う印刷部と、
前記印刷部から送られてくる用紙に対してパンチ処理を行う後処理部と、
前記複数ページ分の画像データのそれぞれについて、前記画像読取部が読み取った原稿にパンチ穴が形成されている場合に画像データに出現するパンチ領域の位置を検出し、当該検出した前記パンチ領域の位置に対応するパンチパターンを認識するパターン認識処理を行うとともに、前記パターン認識処理で認識したパンチパターンが複数種存在するか否かを判断する判断処理を行い、前記パターン認識処理で認識したパンチパターンが複数種存在すると判断した場合、前記パターン認識処理で認識した複数種のパンチパターンをそれぞれ候補パターンに設定し、いずれかの前記候補パターンを選択するパターン選択操作の受け付けを前記操作パネルに行わせ、前記パターン選択操作で選択された前記候補パターンに対応する位置にパンチ穴が形成されるよう前記後処理部を制御する制御部と、を備えることを特徴とする画像形成装置。
【請求項２】
前記制御部は、前記パターン認識処理を行う前に、前記複数ページ分の画像データから白紙ページの画像データを除去することを特徴とする請求項１に記載の画像形成装置。
【請求項３】
前記制御部は、前記複数ページ分の画像データのうち回転させる画像データを選択するデータ選択操作の受け付けを前記操作パネルに行わせ、前記操作パネルが前記データ選択操作を受け付けると、前記複数ページ分の画像データのうち前記データ選択操作で選択された画像データを回転させる回転処理を行い、その後、前記回転処理で回転させた画像データを含む前記複数ページ分の画像データを対象に前記パターン認識処理および前記判断処理を行うことを特徴とする請求項１または２に記載の画像形成装置。
【請求項４】
前記制御部は、前記パターン認識処理を行った結果、前記複数ページ分の画像データのいずれからも前記パンチ領域が検出されなかったとき、予め定められた通常位置へのパンチ穴の形成を許可するか否かの受け付けを前記操作パネルに行わせ、前記操作パネルが前記通常位置へのパンチ穴の形成を許可する旨を受け付けた場合、前記通常位置にパンチ穴が形成されるよう前記後処理部を制御することを特徴とする請求項１〜３のいずれか１項に記載の画像形成装置。
【請求項５】
前記画像読取部は、片面読取を行う場合には原稿の表面だけを読み取るとともに、両面読取を行う場合には原稿の表面および裏面を読み取り、
前記制御部は、前記画像読取部が前記両面読取を行ったことによって前記複数ページ分の画像データが生成された場合、前記複数ページ分の画像データのうち原稿の表面および裏面の一方面のページの画像データだけを対象に前記パターン認識処理を行うことを特徴とする請求項１〜４のいずれか１項に記載の画像形成装置。
【請求項６】
印刷に用いる用紙を収容する用紙カセットを備え、
前記制御部は、前記用紙カセットに現在収容されている用紙の向きでは前記パターン選択操作で選択されたパンチパターンに対応する位置にパンチ穴を形成することができないとき、前記用紙カセットに収容された用紙の向きの確認を促すメッセージを前記操作パネルに表示させることを特徴とする請求項１〜５のいずれか１項に記載の画像形成装置。
【請求項７】
前記制御部は、前記パターン認識処理で認識したパンチパターンが複数種存在すると判断した場合、前記複数ページ分の画像データのページ数が予め定められた閾値を超えていれば、前記パターン選択操作の受け付けを前記操作パネルに行わせず、前記パターン認識処理で認識した複数種のパンチパターンのうち、前記複数ページ分の画像データの中で数が最も多いパンチパターンの種類を認識し、当該認識した種類のパンチパターンに対応する位置にパンチ穴が形成されるよう前記後処理部を制御することを特徴とする請求項１〜６のいずれか１項に記載の画像形成装置。
【請求項８】
前記制御部は、前記複数ページ分の画像データのページ数が予め定められた閾値を超えている場合、前記複数ページ分の画像データのうち１ページ目から所定ページ目までの画像データだけを前記パターン認識処理の処理対象とすることを特徴とする請求項１〜６のいずれか１項に記載の画像形成装置。
【発明の詳細な説明】
【技術分野】
【０００１】
本発明は、パンチ処理を行う後処理部を備えた画像形成装置に関する。
【背景技術】
【０００２】
従来、印刷済み用紙の端部を穿孔するパンチ処理を行う後処理部を備えた画像形成装置が知られている。このような画像形成装置は、たとえば、特許文献１に開示されている。
【０００３】
特許文献１の画像形成装置は、読み取った読取原稿の画像が印刷された印刷済み用紙に対し、読取原稿に形成されているパンチ穴の位置に対応する位置にパンチ穴を形成する。一例として、或る原稿（ここでは第１原稿と称する）と第１原稿に形成されているパンチ穴の位置とは異なる位置にパンチ穴が形成されている別の原稿（ここでは第２原稿と称する）とを読み取ったとする。この場合、第１原稿の画像が印刷された印刷済み用紙に対しては、第１原稿のパンチ穴の形成位置に対応する位置にパンチ穴を形成する処理が行われる。第２原稿の画像が印刷された印刷済み用紙に対しては、第２原稿のパンチ穴の形成位置に対応する位置にパンチ穴を形成する処理が行われる。
【先行技術文献】
【特許文献】
【０００４】
【特許文献１】特開２００５−２６９１７３号公報
【発明の概要】
【発明が解決しようとする課題】
【０００５】
上記した例において、第１原稿のパンチ穴の形成位置が左端部であって、第２原稿のパンチ穴の形成位置が右端部であったとする。この場合、特許文献１では、第１原稿に対応する印刷済み用紙に形成されるパンチ穴の位置は左端部となり、第２原稿に対応する印刷済み用紙に形成されるパンチ穴の位置は右端部となる。
【０００６】
ここで、第１原稿と第２原稿とが混在する場合であっても、複数枚の印刷済み用紙にそれぞれ形成される各パンチ穴の位置（複数枚の印刷済み用紙に印刷された各画像の向きが正しい向きとなるよう複数枚の印刷済み用紙の各向きを揃えた場合の各パンチ穴の形成位置）を揃えたい場合がある。しかし、特許文献１では、第１原稿と第２原稿とが混在していれば、複数枚の印刷済み用紙にそれぞれ形成される各パンチ穴の位置を揃えることができない。複数枚の印刷済み用紙にそれぞれ形成される各パンチ穴の位置を揃えたい場合には、たとえば、操作パネルのメニュー画面からパンチ処理に関する項目を選択し、パンチ処理に関する設定画面を操作パネルに表示させ、設定画面に対して設定操作を行う必要がある。したがって、ユーザーにとっては煩わしい。
【０００７】
本発明は、上記課題を解決するためになされたものであり、読み取った読取原稿の画像が印刷された印刷済み用紙に対し、読取原稿に形成されているパンチ穴の位置に対応する位置にパンチ穴を形成する構成において、複数枚の印刷済み用紙にそれぞれ形成される各パンチ穴の位置（複数枚の印刷済み用紙に印刷された各画像の向きが正しい向きとなるよう複数枚の印刷済み用紙の各向きを揃えた場合の各パンチ穴の形成位置）を揃えることが可能な画像形成装置を提供することを目的とする。
【課題を解決するための手段】
【０００８】
上記目的を達成するため、本発明の画像形成装置は、ユーザーから操作を受け付ける操作パネルと、原稿の読み取りを行い、複数ページ分の画像データを生成する画像読取部と、複数ページ分の画像データに基づき用紙に印刷を行う印刷部と、印刷部から送られてくる用紙に対してパンチ処理を行う後処理部と、複数ページ分の画像データのそれぞれについて、画像読取部が読み取った原稿にパンチ穴が形成されている場合に画像データに出現するパンチ領域の位置を検出し、当該検出したパンチ領域の位置に対応するパンチパターンを認識するパターン認識処理を行うとともに、パターン認識処理で認識したパンチパターンが複数種存在するか否かを判断する判断処理を行い、パターン認識処理で認識したパンチパターンが複数種存在すると判断した場合、パターン認識処理で認識した複数種のパンチパターンをそれぞれ候補パターンに設定し、いずれかの候補パターンを選択するパターン選択操作の受け付けを操作パネルに行わせ、パターン選択操作で選択された候補パターンに対応する位置にパンチ穴が形成されるよう後処理部を制御する制御部と、を備える。
【０００９】
本発明の構成では、或る原稿（ここでは第１原稿と称する）と第１原稿に形成されているパンチ穴の位置とは異なる位置にパンチ穴が形成されている別の原稿（ここでは第２原稿と称する）とが混在した複数枚の原稿を画像形成装置で読み取った場合に、パターン選択操作の受け付けが行われる。このとき、第１原稿に対応するパンチパターン（ここでは第１パターンと称する）と第２原稿に対応するパンチパターン（ここでは第２パターンと称する）とが選択肢として示される。第１パターンおよび第２パターンのいずれかを選択すると、第１原稿の画像が印刷された印刷済み用紙および第２原稿の画像が印刷された印刷済み用紙の全てに対し、パターン選択操作で選択したパンチパターンに対応する位置にパンチ穴を形成するパンチ処理が行われる。一例として、第１パターンを選択すると、第１原稿の画像が印刷された印刷済み用紙のパンチ穴の形成位置は第１パターンに対応する位置となり、第２原稿の画像が印刷された印刷済み用紙のパンチ穴の形成位置も第１パターンに対応する位置となる。これにより、複数枚の印刷済み用紙にそれぞれ形成される各パンチ穴の位置（複数枚の印刷済み用紙に印刷された各画像の向きが正しい向きとなるよう複数枚の印刷済み用紙の各向きを揃えた場合の各パンチ穴の形成位置）を揃えることができる。また、パンチ処理に関する設定画面を表示させるための操作を行う必要がない（パターン選択操作を行うだけでよい）ので、ユーザーの利便性が向上する。
【発明の効果】
【００１０】
本発明の構成では、複数枚の印刷済み用紙にそれぞれ形成される各パンチ穴の位置（複数枚の印刷済み用紙に印刷された各画像の向きが正しい向きとなるよう複数枚の印刷済み用紙の各向きを揃えた場合の各パンチ穴の形成位置）を揃えることができる。
【図面の簡単な説明】
【００１１】
【図１】本発明の一実施形態による画像形成装置の全体構成を示す概略図である。
【図２】本発明の一実施形態による画像形成装置の画像読取部の構成を示す図である。
【図３】本発明の一実施形態による画像形成装置の後処理部の構成を示す図である。
【図４】本発明の一実施形態による画像形成装置のハードウェア構成を示す図である。
【図５】本発明の一実施形態による画像形成装置の制御部が行うパターン認識処理および判断処理について説明するための図である。
【図６】本発明の一実施形態による画像形成装置の制御部が行う白紙検出処理について説明するための図である。
【図７】本発明の一実施形態による画像形成装置の制御部が行う回転処理について説明するための図である。
【図８】本発明の一実施形態による画像形成装置の制御部により行われたパターン認識処理においてパンチ領域が検出されなかった場合について説明するための図である。
【図９】本発明の一実施形態による画像形成装置の設定支援機能が有効に設定されている場合に制御部が行う処理の流れを示すフローチャートである。
【発明を実施するための形態】
【００１２】
＜装置構成＞
図１に示すように、本実施形態の画像形成装置１００は、画像読取部１、印刷部２、後処理部３および操作パネル４を備える。
【００１３】
画像読取部１は、片面読取および両面読取の実行が可能に構成される。片面読取を実行するとき、画像読取部１は、原稿Ｄの表面だけを読み取る。両面読取を実行するとき、画像読取部１は、原稿Ｄの表面および裏面の両面を読み取る。
【００１４】
画像読取部１は、図２に示すように、原稿搬送ユニット１１および画像読取ユニット１２を備える。原稿搬送ユニット１１は、原稿Ｄの自動搬送を行うためのユニットであり、画像読取部１の筐体に対して回動可能に設置される。原稿搬送ユニット１１は、画像読取部１の筐体上面を閉塞する方向および筐体上面を開放する方向に回動する。画像読取ユニット１２は、原稿Ｄの読み取りを行うためのユニットであり、画像読取部１の筐体内部に設置される。
【００１５】
画像読取部１の筐体上面には、搬送読取用のコンタクトガラスＧ１および載置読取用のコンタクトガラスＧ２が設置される。搬送読取の実行時には、原稿搬送ユニット１１によってコンタクトガラスＧ１上に原稿Ｄが自動搬送され、コンタクトガラスＧ１上を通過する原稿Ｄの読み取りが画像読取ユニット１２によって行われる。載置読取の実行時には、コンタクトガラスＧ２上に載置された原稿Ｄの読み取りが画像読取ユニット１２によって行われる。
【００１６】
原稿搬送ユニット１１には、原稿Ｄがセットされる原稿セットトレイＤＳＴおよび原稿Ｄが排出される原稿排出トレイＤＥＴが設けられる。また、原稿搬送ユニット１には、原稿Ｄを搬送するための原稿搬送路が設けられる。原稿搬送路には、原稿Ｄを原稿搬送路に給紙し、原稿Ｄを原稿搬送路に沿って搬送するための原稿搬送部１１１が設けられる。原稿搬送部１１１は、ピックアップローラーや搬送ローラー対を含む。
【００１７】
原稿搬送路は、メイン搬送路ＤＰ１、スイッチバック搬送路ＤＰ２および引込搬送路ＤＰ３を含む。メイン搬送路ＤＰ１は、原稿セットトレイＤＳＴから読取位置ＲＰ（搬送読取の実行時に原稿Ｄを読み取る位置であってコンタクトガラスＧ１上の所定位置）を経由し原稿排出トレイＤＥＴに至る。
【００１８】
スイッチバック搬送路ＤＰ２は、原稿Ｄをスイッチバックさせ、メイン搬送路ＤＰ１に原稿Ｄを戻す（読取位置ＲＰでの原稿Ｄの表裏面の向きを反転させる）ための搬送路である。スイッチバック搬送路ＤＰ２は、原稿排出トレイＤＥＴからメイン搬送路ＤＰ１の読取位置ＲＰよりも原稿搬送方向上流側の位置に至り、当該位置においてメイン搬送路ＤＰ１に合流する。引込搬送路ＤＰ３は、メイン搬送路ＤＰ１からスイッチバック搬送路ＤＰ２に原稿Ｄを引き込むための搬送路である。引込搬送路ＤＰ３は、メイン搬送路ＤＰ１の読取位置ＲＰよりも原稿搬送方向下流側の位置においてメイン搬送路ＤＰ１から分岐し、スイッチバック搬送路ＤＰ２に合流する。
【００１９】
片面読取（搬送読取）の実行時、原稿搬送ユニット１１は、原稿セットトレイＤＳＴからメイン搬送路ＤＰ１に原稿Ｄを給紙し、読取位置ＲＰに向けて原稿Ｄを搬送する。そして、原稿搬送ユニット１１は、読取位置ＲＰを通過した原稿Ｄをそのまま原稿排出トレイＤＥＴに排出する。画像読取ユニット１２は、原稿Ｄが読取位置ＲＰを通過するとき、原稿Ｄを読み取る。なお、原稿Ｄが読取位置ＲＰを通過するときには、原稿Ｄの表面（原稿セットトレイＤＳＴへの原稿Ｄのセット時に上方に向けた面）がコンタクトガラスＧ１と対向する。したがって、読取位置ＲＰにおいて原稿Ｄの表面が読み取られる。
【００２０】
両面読取（搬送読取）の実行時には、片面読取の実行時と同様、まず、原稿搬送ユニット１１が読取位置ＲＰに向けて原稿Ｄを搬送し、画像読取ユニット１２が読取位置ＲＰを通過する原稿Ｄを読み取る。すなわち、原稿Ｄの表面の読み取りが行われる。
【００２１】
ここで、原稿搬送ユニット１１は、読取位置ＲＰに向けて原稿Ｄを搬送するとき、メイン搬送路ＤＰ１から引込搬送路ＤＰ３への原稿Ｄの搬送経路を開く。これにより、搬送中の原稿Ｄは、引込搬送路ＤＰ３に進入し、スイッチバック搬送路ＤＰ２に引き込まれる。スイッチバック搬送路ＤＰ２に引き込まれた原稿Ｄは、一旦、原稿排出トレイＤＥＴに向けて搬送される。
【００２２】
スイッチバック搬送路ＤＰ２に原稿Ｄを引き込んで以降、原稿Ｄの後端が引込搬送路ＤＰ３とスイッチバック搬送路ＤＰ２との合流点を通過すると、原稿搬送ユニット１１は、原稿Ｄの進行方向を逆転させる。すなわち、原稿搬送ユニット１１は、原稿Ｄをスイッチバックさせる。その後、原稿搬送ユニット１１は、スイッチバック搬送路ＤＰ２に沿って原稿Ｄを搬送する（スイッチバック搬送路ＤＰ２とメイン搬送路ＤＰ１との合流点に向けて原稿Ｄを搬送する）。これにより、スイッチバック搬送路ＤＰ２からメイン搬送路ＤＰ１に原稿Ｄが戻る。
【００２３】
メイン搬送路ＤＰ１に原稿Ｄが戻ると、原稿搬送ユニット１１は、読取位置ＲＰに向けて原稿Ｄを搬送する。これにより、原稿Ｄが読取位置ＲＰを再度通過する。画像読取ユニット１２は、読取位置ＲＰを再度通過する原稿Ｄを読み取る。読取位置ＲＰを再度通過する原稿Ｄは、表裏面の向きが反転された状態となっている。したがって、このときには、原稿Ｄの裏面の読み取りが行われる。その後、原稿搬送ユニット１１は、原稿排出トレイＤＥＴに原稿Ｄを排出する。
【００２４】
画像読取ユニット１２は、光源１２１、イメージセンサー１２２、ミラー１２３およびレンズ１２４を含む。搬送読取の実行時、光源１２１は、コンタクトガラスＧ１に向けて光を照射する（コンタクトガラスＧ１を透過した光がコンタクトガラスＧ１上を通過する原稿Ｄを照射する）。載置読取の実行時、光源１２１は、コンタクトガラスＧ２に向けて光を照射する（コンタクトガラスＧ２を透過した光がコンタクトガラスＧ２上に載置された原稿Ｄを照射する）。原稿Ｄで反射された反射光は、ミラー１２３で反射され、レンズ１２４に導かれる。レンズ１２４は、反射光を集光する。
【００２５】
なお、光源１２１およびミラー１２３は、副走査方向に移動可能な移動枠１２５に保持される。搬送読取の実行時には、光源１２１を含む移動枠１２５がコンタクトガラスＧ１の下方において静止し、その状態で、光源１２１が光を発する。載置読取の実行時には、光源１２１を含む移動枠１２５が副走査方向（正面から見て左から右に向かう方向）に移動し、移動中に、光源１２１が光を発する。
【００２６】
イメージセンサー１２２は、原稿Ｄからの反射光（レンズ１２４で集光された光）を受光すると、ライン単位で画素ごとに光電変換して電荷を蓄積する。そして、イメージセンサー１２２は、蓄積電荷に応じたアナログ信号を出力する。搬送読取の実行時、イメージセンサー１２２は、コンタクトガラスＧ１上の原稿Ｄで反射された反射光の光電変換を繰り返し行う。載置読取の実行時、イメージセンサー１２２は、コンタクトガラスＧ２上の原稿Ｄで反射された反射光の光電変換を繰り返し行う。
【００２７】
図１に戻り、印刷部２は、用紙Ｓを搬送するとともに、画像データに基づき画像を形成し、搬送中の用紙Ｓに画像を印刷する。印刷部２は、用紙給紙部２１、用紙搬送部２２、画像形成部２３および定着部２４を備える。
【００２８】
用紙給紙部２１は、用紙カセットＣＡに収容された用紙Ｓを引き出して用紙搬送路２０に給紙する。用紙搬送部２２は、複数の搬送ローラー対を含み、用紙搬送路２０に沿って用紙Ｓを搬送する。画像形成部２３は、画像データに基づきトナー像を形成し、搬送中の用紙Ｓにトナー像を転写する。定着部２４は、トナー像が転写された用紙Ｓを加熱および加圧することにより、用紙Ｓにトナー像を定着させる。
【００２９】
後処理部３は、印刷部２から送られてくる印刷済み用紙Ｓに対する穿孔やステープルなどを後処理として行う。なお、後処理部３は、用紙搬送路２０と繋がる受入口３０を有する。そして、後処理部３は、受入口３０を介して、印刷部２から印刷済み用紙Ｓを受け入れる。
【００３０】
後処理部３は、図３に示すように、パンチユニット３１およびステープルユニット３２を備える。パンチユニット３１は、印刷済み用紙Ｓの端部を穿孔するパンチ処理を行う。ステープルユニット３２は、用紙束（複数枚の印刷済み用紙Ｓの束）の端部をステープル針で綴じるステープル処理を行う。
【００３１】
図１に戻り、操作パネル４は、タッチパネルディスプレイ４１を含む。タッチパネルディスプレイ４１は、ソフトウェアキーなどを配した画面を表示し、表示画面（ソフトウェアキー）に対するタッチ操作をユーザーから受け付ける。また、操作パネル４は、複数のハードウェアキー４２を含む。たとえば、ハードウェアキー４２としては、原稿Ｄの読み取りにより得られた画像データに基づく画像を用紙Ｓに印刷するコピージョブの実行指示をユーザーから受け付けるためのスタートキーなどがある。
【００３２】
また、図４に示すように、画像形成装置１００は、画像形成装置１００の各部の動作制御を行う制御部５を備える。制御部５は、画像読取部１および印刷部２に接続され、画像読取部１の読取動作を制御するとともに、印刷部２の印刷動作を制御する。また、制御部５は、後処理部３に接続され、後処理部３の後処理動作を制御する。
【００３３】
さらに、制御部５は、操作パネル４に接続される。そして、制御部５は、操作パネル４の表示動作を制御するとともに、操作パネル４に対して行われた操作（タッチパネルディスプレイ４１に対するタッチ操作やハードウェアキー４２に対する押下操作など）を検知する。
【００３４】
制御部５は、ＣＰＵ５１、メモリー５２（ＲＯＭおよびＲＡＭなど）および画像処理モジュール５３を含む。ＣＰＵ５１は、制御用のプログラムおよびデータに基づき動作し、画像形成装置１００の各部の動作を制御する。メモリー５２は、ＣＰＵ５１を動作させるための制御用のプログラムおよびデータを記憶する。
【００３５】
画像処理モジュール５３は、画像処理用の回路およびメモリーを含む。制御部５は、画像処理モジュール５３を用いて、拡大／縮小、回転および濃度変換など種々の画像処理を画像データに対して行う。
【００３６】
＜設定支援機能＞
制御部５は、コピージョブの実行に際し、パンチ機能を有効にするか否かの受け付けを操作パネル４に行わせる。パンチ機能を有効にする旨を操作パネル４が受け付けた場合、制御部５は、パンチ機能を有効に設定する。
【００３７】
パンチ機能を有効に設定した状態で、コピージョブの実行指示（操作パネル４のスタートキーに対する操作）を操作パネル４が受け付けると、制御部５は、画像読取部１に原稿Ｄの読み取りを行わせ、画像読取部１が読み取った原稿Ｄの画像データに基づく画像の用紙Ｓへの印刷を印刷部２に行わせる。そして、制御部５は、印刷部２から送られてくる印刷済み用紙Ｓの端部に対するパンチ処理を後処理部３に行わせる。言い換えると、制御部５は、パンチ処理を伴うコピージョブを実行する。
【００３８】
ここで、画像形成装置１００には、パンチ処理に関する設定（パンチ穴を形成する位置の設定）を支援する機能である設定支援機能が搭載される。設定支援機能を有効にするか否かの受け付けは操作パネル４が受け付ける。設定支援機能を有効にする旨を操作パネル４が受け付けると、制御部５は、設定支援機能を有効に設定する。
【００３９】
制御部５は、設定支援機能を有効に設定した状態で、パンチ処理を伴うコピージョブを開始した場合、画像読取部１による原稿Ｄの読み取りが完了した後、印刷部２による用紙Ｓへの画像の印刷に先立って、設定支援機能に関する処理を行う。なお、設定支援機能に関する処理は、画像読取部１が複数ページ分の画像データを生成した場合に行われる。画像読取部１により生成された画像データが１ページ分だけの場合には、設定支援機能が有効に設定されていても、設定支援機能に関する処理は行われない。
【００４０】
制御部５は、１回のコピージョブで複数ページ分の画像データが生成されると、複数ページ分の画像データを対象にパターン認識処理を行う。たとえば、画像読取部１が３枚の原稿Ｄを読み取って３ページ分の画像データ（図５の上段図参照）を生成したとする。この場合、制御部５は、１ページ目の画像データ、２ページ目の画像データおよび３ページ目の画像データの順に合計３回のパターン認識処理を行う。
【００４１】
パターン認識処理を行うとき、制御部５は、現在対象としている対象画像データに含まれる複数の画素を順番に注目画素に設定するとともに、注目画素の画素値（濃度値）を認識する。そして、制御部５は、対象画像データの各画素の画素値に基づき、対象画像データに存在するパンチ領域（画像読取部１が読み取った原稿Ｄである読取原稿Ｄにパンチ穴が形成されている場合に画像データに出現する領域）を検出する。ここで、対象画像データに含まれる複数の画素のうち、読取原稿Ｄに形成されているパンチ穴に対応する画素は他の画素よりも暗くなる。たとえば、画素値が８ビット（真黒「０」〜真白「２５５」）で示される場合、読取原稿Ｄに形成されているパンチ穴に対応する画素の画素値は他の画素の画素値よりも「０」に近い値となる。これにより、対象画像データの各画素の画素値に基づき、対象画像データに存在するパンチ領域を検出することができる。なお、対象画像データに存在するパンチ領域の検出方法は特に限定されず、他の方法を用いてもよい。
【００４２】
制御部５は、対象画像データに存在するパンチ領域を検出すると、当該検出したパンチ領域のページ内での位置を検出する。そして、制御部５は、対象画像データに存在するパンチ領域のページ内での位置に対応するパンチパターンを認識する。
【００４３】
たとえば、画像読取部１が読み取った３枚の原稿Ｄのうち、１枚目および３枚目の各原稿Ｄについては原稿Ｄの左端部にパンチ穴が形成され、２枚目の原稿Ｄについては原稿Ｄの右端部にパンチ穴が形成されていたとする。この場合、図５の上段図に示すように、１ページ目および３ページ目の各画像データについてはページ内の左端部にパンチ領域が出現する一方、２ページ目の画像データについてはページ内の右端部にパンチ領域が出現する。図５の上段図では、パンチ領域を黒丸で示す（以降の説明で参照する図面についても同様である）。
【００４４】
制御部５は、複数ページ分の画像データに対するパターン認識処理が全て終わると、パターン認識処理で認識したパンチパターンが複数種存在するか否かを判断する判断処理を行う。図５に示す例では、パンチパターンとして、２種類のパターンが存在する。１つのパンチパターンは、１ページ目および３ページ目の各画像データに対応するパターンであり、ページ内の左端部にパンチ領域が存在するパターンである。もう１つのパンチパターンは、２ページ目の画像データに対応するパターンであり、ページ内の右端部にパンチ領域が存在するパターンである。したがって、この場合の制御部５による判断処理では、パンチパターンが複数種存在する（２種類存在する）と判断される。
【００４５】
制御部５は、パターン認識処理で認識したパンチパターンが複数種存在すると判断した場合、パターン認識処理で認識した複数種のパンチパターンをそれぞれ候補パターンに設定する。そして、制御部５は、いずれかの候補パターンを選択するパターン選択操作の受け付けを操作パネル４に行わせる。操作パネル４は、複数種のパンチパターン（候補パターン）をそれぞれ示す複数のパンチパターン情報を選択肢として表示する。
【００４６】
たとえば、制御部５は、パターン認識処理で認識した複数種のパンチパターン（候補パターン）のそれぞれについて、複数ページ分の画像データから対応する画像データを１つずつ抽出し、当該抽出した画像データをプレビューするためのプレビュー画像（当該プレビュー画像を表示するための表示データ）を生成する。そして、制御部５は、プレビュー画像をパンチパターン情報として操作パネル４に表示させる。
【００４７】
図５に示す例では、１ページ目および３ページ目の各画像データに対応するパンチパターンは同一種である。したがって、１ページ目および３ページ目の各画像データのうちいずれかの画像データに対応するプレビュー画像がパンチパターン情報として生成される。また、２ページ目の画像データに対応するプレビュー画像もパンチパターン情報として生成される。そして、２つのパンチパターン情報が選択肢として表示される（図５の中段図参照）。図５の中段図では、２つのパンチパターン情報にそれぞれ符号Ｐ１およびＰ２を付す。
【００４８】
その後、操作パネル４がパターン選択操作を受け付けると、制御部５は、パターン選択操作で選択されたパンチパターン（候補パターン）を認識する。そして、制御部５は、パターン選択操作で選択されたパンチパターン（候補パターン）に対応する位置にパンチ穴が形成されるよう後処理部３を制御する。
【００４９】
たとえば、図５に示す例において、符号Ｐ１を付したパンチパターン情報が選択されたとする。パンチパターン情報Ｐ１に対応するパンチ穴の形成位置はページ内の左端部である。このため、印刷済み用紙Ｓの左端部に対してパンチ処理が行われる。これにより、図５の下段図に示すように、左端部にパンチ穴が形成された印刷済み用紙Ｓが出力される。図５の下段図では、印刷済み用紙Ｓに形成されたパンチ穴を二重丸で示す（以降の説明で参照する図面についても同様である）。
【００５０】
ところで、画像データのうちパンチ領域の画像は消去される。このため、印刷済み用紙Ｓには、パンチ領域の画像は存在しない。あるいは、パンチ領域の画像を消去するか否かの受け付けを操作パネル４に行わせ、パンチ領域の画像を消去する旨を操作パネル４が受け付けた場合にのみ、画像データからパンチ領域の画像を消去してもよい。
【００５１】
なお、制御部５は、パターン認識処理で認識したパンチパターンが１種類しか存在しない（パターン認識処理で認識したパンチパターンの種類が全て同じ）と判断した場合、操作パネル４にパターン選択操作の受け付けを行わせない。この場合、制御部５は、パターン認識処理で認識したパンチパターンに対応する位置にパンチ穴が形成されるよう後処理部３を制御する。
【００５２】
ここで、画像読取部１が読み取った原稿Ｄの少なくとも１枚が白紙原稿Ｄであった場合には、複数ページ分の画像データに白紙ページの画像データが混在する（図６の上段図参照）。白紙ページの画像データに基づく印刷は必要ないので、白紙ページの画像データは除去するのが好ましい。そこで、制御部５は、パターン認識処理を行う前に、複数ページ分の画像データから白紙ページの画像データを検出する白紙検出処理を行う。制御部５による白紙検出処理は、複数ページ分の画像データの全てを対象に行われる。白紙ページの画像データを検出した場合、制御部５は、複数ページ分の画像データから白紙ページの画像データを除去する。
【００５３】
制御部５は、白紙検出処理を行うとき、現在対象としている対象画像データに存在する有色画素数をカウントし、有色画素数が予め定められた閾値画素数を下回るか否かを判断する。その結果、有色画素数が閾値画素数を下回っている場合、制御部５は、対象画像データを白紙ページの画像データとして検出する。たとえば、制御部５は、対象画像データの全画素数に対する有色画素数の割合が数％〜数十％以下であれば、対象画像データを白紙ページの画像データとして検出する。なお、白紙ページの画像データの検出方法は特に限定されず、他の方法を用いてもよい。
【００５４】
たとえば、画像読取部１が読み取った３枚の原稿Ｄのうち２枚目の原稿Ｄが白紙原稿Ｄであったとする。この場合、図６の上段図に示すように、３ページ分の画像データのうち２ページ目の画像データが白紙原稿Ｄに対応する画像データとなる。このため、２ページ目の画像データが白紙ページの画像データとして検出され、２ページ目の画像データが除去される（図６の中段図参照）。
【００５５】
制御部５は、白紙検出処理を行った後、パターン認識処理を行う。このとき、直前の白紙検出処理で白紙ページの画像データが検出されていた場合には、白紙ページの画像データは除去されるので、白紙ページの画像データはパターン認識処理の対象とならない。
【００５６】
図６に示す例では、２ページ目の画像データが除去される。すなわち、制御部５は、１ページ目および３ページ目の各画像データを対象にパターン認識処理を行う。１ページ目および３ページ目の各画像データに対応するパンチパターンは同一種である。この場合、制御部５は、パターン認識処理で認識したパンチパターンが１種類しか存在しないと判断する。
【００５７】
したがって、制御部５は、操作パネル４にパターン選択操作の受け付けを行わせず、パターン認識処理で認識したパンチパターンに対応する位置にパンチ穴が形成されるよう後処理部３を制御する。これにより、図６の下段図に示すように、左端部にパンチ穴が形成された印刷済み用紙Ｓが出力される。なお、２ページ目の画像データは除去されているので、印刷済み用紙Ｓの出力枚数は２枚である。
【００５８】
制御部５が白紙検出処理を行う構成では、複数ページ分の画像データから白紙ページの画像データが除去されるので、白紙の用紙Ｓが出力されることはない。すなわち、複数枚の印刷済み用紙Ｓの中に白紙の用紙Ｓが混在することはない。これにより、複数枚の印刷済み用紙Ｓの中に白紙の用紙Ｓが混在しているか否かを確認する作業（印刷済み用紙Ｓを１枚ずつ確認する作業）を行う必要がないので、ユーザーの利便性が向上する。
【００５９】
また、制御部５は、パンチ処理を伴うコピージョブの実行に際し、複数ページ分の画像データのいずれかの向きを調整するか否かの設定の受け付けを操作パネル４に行わせる。たとえば、操作パネル４は、設定支援機能を有効にする旨を受け付けると、向き調整の要否設定の受け付けを行う。
【００６０】
制御部５は、複数ページ分の画像データが生成されると、向き調整の要否設定を確認する。そして、制御部５は、向き調整の要否設定が「要」に設定されていれば、複数ページ分の画像データのうち回転させる画像データを選択するデータ選択操作の受け付けを操作パネル４に行わせる。
【００６１】
制御部５は、操作パネル４がデータ選択操作を受け付けると、複数ページ分の画像データのうちデータ選択操作で選択された画像データを１８０°回転させる回転処理を行う。その後、制御部５は、回転処理で回転させた画像データを含む複数ページ分の画像データを対象にパターン認識処理および判断処理を行う。
【００６２】
たとえば、画像読取部１が読み取った３枚の原稿Ｄのうち２枚目の原稿Ｄの向きが正しい向きとは逆向きになっていた（上下が反転していた）とする。結果として、図７の上段図に示すように、１ページ目および３ページ目についてはページ内の左端部にパンチ領域が存在する画像データが生成されたのに対し、２ページ目についてはページ内の右端部にパンチ領域が存在する画像データが生成されたとする。
【００６３】
また、制御部５が向き調整の要否を確認した結果、向き調整の要否が「要」に設定されていたとする。この場合には、操作パネル４がデータ選択操作を受け付ける。たとえば、２ページ目の画像データが選択されたとすると、制御部５は、２ページ目の画像データを１８０°回転させる（図７の中段図参照）。
【００６４】
図７に示す例では、２ページ目の画像データに対する回転処理が制御部５により行われた結果、１ページ目、２ページ目および３ページ目の各画像データに対応するパンチパターンは同一種となる。このため、回転処理後の判断処理において、制御部５は、パターン認識処理で認識したパンチパターンが１種類しか存在しないと判断する。
【００６５】
したがって、制御部５は、操作パネル４にパターン選択操作の受け付けを行わせず、パターン認識処理で認識したパンチパターンに対応する位置にパンチ穴が形成されるよう後処理部３を制御する。これにより、図７の下段図に示すように、左端部にパンチ穴が形成された印刷済み用紙Ｓが出力される。
【００６６】
制御部５が回転処理を行う構成では、複数枚の原稿Ｄの各向きが揃っていなくても、原稿Ｄの読取後に画像データを回転させることができるので、画像形成装置１００に複数枚の原稿Ｄをセットするときに、複数枚の原稿Ｄの各向きを確認する必要がない。仮に、複数枚の原稿Ｄのうちいずれかの原稿Ｄの向きが間違っていても、当該原稿Ｄの画像データを後から回転させればよい。
【００６７】
また、制御部５は、パターン認識処理を行った結果、複数ページ分の画像データのいずれからもパンチ領域が検出されなかったとき、予め定められた通常位置へのパンチ穴の形成を許可するか否かの受け付けを操作パネル４に行わせる。そして、操作パネル４が通常位置へのパンチ穴の形成を許可する旨を受け付けた場合、制御部５は、通常位置にパンチ穴が形成されるよう後処理部３を制御する。
【００６８】
たとえば、画像読取部１が読み取った３枚の原稿Ｄのいずれにもパンチ穴が形成されていなかったとする。結果として、図８の上段図に示すように、１ページ目、２ページ目および３ページ目のいずれにもパンチ領域が存在しない３ページ分の画像データが生成されたとする。
【００６９】
ここで、パンチ機能が有効に設定されていたとする。この場合、制御部５は、画像読取部１が読み取った原稿Ｄにパンチ穴が形成されているか否かにかかわらず、パターン認識処理を行う。しかし、このときに行われるパターン認識処理では、パンチ領域は検出されない。このため、操作パネル４は、通常位置へのパンチ穴の形成を許可するか否かを受け付ける。通常位置へのパンチ穴の形成を許可した場合には、図８の下段図に示すように、通常位置にパンチ穴が形成された印刷済み用紙Ｓが出力される。図８の下段図には、通常位置が左端部である場合を図示する。
【００７０】
この構成では、原稿Ｄにパンチ穴が形成されていなくても、パンチ穴が形成された印刷済み用紙Ｓを得ることができる。印刷済み用紙Ｓにパンチ穴を形成したくない場合には、パンチ穴の形成を許可しなければよい。
【００７１】
以下に、図９に示すフローチャートを参照し、画像形成装置１００の設定支援機能が有効に設定されている場合に制御部５により行われる処理の流れを説明する。図９に示すフローチャートのスタート時点では、パンチ機能が有効に設定され、かつ、設定支援機能が有効に設定されているとする。その状態で、コピージョブの実行指示を受けたとき、図９に示すフローチャートがスタートする。
【００７２】
ステップＳ１において、制御部５は、画像読取部１に原稿Ｄの読み取りを行わせる。制御部５は、原稿Ｄの読み取りが完了すると、原稿Ｄの画像データを取得する。ここでは、原稿Ｄの読み取りによって複数ページ分の画像データが生成されたとする。
【００７３】
ステップＳ２において、制御部５は、複数ページ分の画像データのそれぞれに対して白紙検出処理を行う。そして、制御部５は、白紙ページの画像データが存在するか否かを判断する。その結果、白紙ページの画像データが存在すると制御部５が判断した場合には、ステップＳ３に移行する。ステップＳ３に移行すると、制御部５は、白紙ページの画像データを除去する。その後、ステップＳ４に移行する。なお、ステップＳ２において、白紙ページの画像データが存在しないと制御部５が判断した場合には、ステップＳ３の処理が省略され、ステップＳ４に移行する。
【００７４】
ステップＳ４において、制御部５は、向き調整の要否が「要」に設定されているか否かを判断する。その結果、向き調整の要否が「要」に設定されていると制御部５が判断した場合には、ステップＳ５に移行する。ステップＳ５に移行すると、制御部５は、データ選択操作の受け付けを操作パネル４に行わせる。そして、制御部５は、複数ページ分の画像データのうちデータ選択操作で選択された画像データを１８０°回転させる。その後、ステップＳ６に移行する。なお、ステップＳ４において、向き調整を行わない旨の設定がなされている場合には、ステップＳ５の処理が省略され、ステップＳ６に移行する。
【００７５】
ステップＳ６に移行すると、制御部５は、複数ページ分の画像データのそれぞれについて、画像読取部１が読み取った原稿Ｄにパンチ穴が形成されている場合に画像データに出現するパンチ領域のページ内での位置を検出し、当該検出したパンチ領域の位置に対応するパンチパターンを認識するパターン認識処理を行う。また、制御部５は、パターン認識処理で認識したパンチパターンが複数種存在するか否かを判断する判断処理を行う。
【００７６】
ステップＳ７において、制御部５は、複数ページ分の画像データの少なくとも１つからパンチ領域を検出したか否かを判断する。その結果、パンチ領域を検出したと制御部５が判断した場合には、ステップＳ８に移行する。ステップＳ８に移行すると、制御部５は、パターン認識処理で認識したパンチパターンが複数種存在するか否かを判断する。その結果、パンチパターンが複数種存在すると制御部５が判断した場合には、ステップＳ９に移行する。
【００７７】
ステップＳ９において、制御部５は、パターン選択操作の受け付けを操作パネル４に行わせる。そして、ステップＳ１０において、制御部５は、パターン選択操作で選択されたパンチパターン（候補パターン）に対応する位置をパンチ位置に設定する。
【００７８】
ステップＳ８において、パターン認識処理で認識したパンチパターンが１種類しか存在しないと制御部５が判断した場合には、ステップＳ１１に移行する。ステップＳ１１に移行すると、制御部５は、操作パネル４にパターン選択操作の受け付けを行わせず、パターン認識処理で認識したパンチパターンに対応する位置をパンチ位置に設定する。
【００７９】
ステップＳ７において、パンチ領域を検出しなかったと制御部５が判断した場合には、ステップＳ１２に移行する。ステップＳ１２に移行すると、制御部５は、通常位置へのパンチ穴の形成を許可する旨を操作パネル４が受け付けたか否かを判断する。許可されている場合、ステップＳ１３に移行し、制御部５は、通常位置をパンチ位置に設定する。許可されていない場合、ステップＳ１４に移行し、制御部５は、ユーザー指定の位置をパンチ位置に設定する。なお、通常位置へのパンチ穴の形成が許可されていない場合には、パンチ位置の指定受付が操作パネル４により行われる。
【００８０】
パンチ位置の設定後、ステップＳ１５に移行する。ステップＳ１５に移行すると、制御部５は、複数ページ分の画像データに基づく印刷を印刷部２に行わせる。印刷後、ステップＳ１６において、制御部５は、印刷済み用紙Ｓに対するパンチ処理を後処理部３に行わせる。このとき、制御部５は、設定したパンチ位置にパンチ穴が形成されるよう後処理部３を制御する。
【００８１】
なお、画像読取部１が両面読取を行ったことによって複数ページ分の画像データが生成された場合には、複数ページ分の画像データのうち原稿Ｄの表面および裏面の一方面のページの画像データのパンチ領域の位置に基づき、左端部にパンチ穴が形成された原稿Ｄと右端部にパンチ穴が形成された原稿Ｄとが混在していたか否かが分かる。したがって、この場合、制御部５は、複数ページ分の画像データのうち原稿Ｄの表面および裏面の一方面のページの画像データだけを対象にパターン認識処理を行う。
【００８２】
本実施形態の画像形成装置１００は、上記のように、ユーザーから操作を受け付ける操作パネル４と、原稿Ｄの読み取りを行い、複数ページ分の画像データを生成する画像読取部１と、複数ページ分の画像データに基づき用紙Ｓに印刷を行う印刷部２と、印刷部２から送られてくる用紙Ｓに対してパンチ処理を行う後処理部３と、複数ページ分の画像データのそれぞれについて、画像読取部１が読み取った原稿Ｄにパンチ穴が形成されている場合に画像データに出現するパンチ領域の位置を検出し、当該検出したパンチ領域の位置に対応するパンチパターンを認識するパターン認識処理を行うとともに、パターン認識処理で認識したパンチパターンが複数種存在するか否かを判断する判断処理を行い、パターン認識処理で認識したパンチパターンが複数種存在すると判断した場合、パターン認識処理で認識した複数種のパンチパターンをそれぞれ候補パターンに設定し、いずれかの候補パターンを選択するパターン選択操作の受け付けを操作パネル４に行わせ、パターン選択操作で選択された候補パターンに対応する位置にパンチ穴が形成されるよう後処理部３を制御する制御部５と、を備える。
【００８３】
本実施形態の構成では、或る原稿Ｄ（ここでは第１原稿Ｄと称する）と第１原稿Ｄに形成されているパンチ穴の位置とは異なる位置にパンチ穴が形成されている別の原稿Ｄ（ここでは第２原稿Ｄと称する）とが混在した複数枚の原稿Ｄを画像形成装置１００で読み取った場合に、パターン選択操作の受け付けが行われる。このとき、第１原稿Ｄに対応するパンチパターン（ここでは第１パターンと称する）と第２原稿Ｄに対応するパンチパターン（ここでは第２パターンと称する）とが選択肢として示される。第１パターンおよび第２パターンのいずれかを選択すると、第１原稿Ｄの画像が印刷された印刷済み用紙Ｓおよび第２原稿Ｄの画像が印刷された印刷済み用紙Ｓの全てに対し、パターン選択操作で選択したパンチパターンに対応する位置にパンチ穴を形成するパンチ処理が行われる。たとえば、第１パターンを選択すると、第１原稿Ｄの画像が印刷された印刷済み用紙Ｓのパンチ穴の形成位置は第１パターンに対応する位置となり、第２原稿Ｄの画像が印刷された印刷済み用紙Ｓのパンチ穴の形成位置も第１パターンに対応する位置となる。これにより、複数枚の印刷済み用紙Ｓにそれぞれ形成される各パンチ穴の位置を揃えることができる。また、パンチ処理に関する設定画面を表示させるための操作を行う必要がない（パターン選択操作を行うだけでよい）ので、ユーザーの利便性が向上する。
【００８４】
ところで、用紙カセットＣＡに収容される用紙Ｓの向きは様々である。用紙Ｓの長手方向が用紙搬送方向と一致するよう用紙カセットＣＡに用紙Ｓが収容される場合もあれば、用紙Ｓの短手方向が用紙搬送方向と一致するよう用紙カセットＣＡに用紙Ｓが収容される場合もある。
【００８５】
たとえば、図５に示した例において、符号Ｐ１を付したパンチパターン情報が選択されたとする。この場合、制御部５は、用紙Ｓの長手方向に沿った端部にパンチ穴が形成されるようパンチ位置を設定する。しかし、用紙Ｓの長手方向が用紙搬送方向と一致するよう用紙カセットＣＡに用紙Ｓが収容されていれば、用紙Ｓの短手方向に沿った端部にパンチ穴を形成することはできるが、用紙Ｓの長手方向に沿った端部にはパンチ穴を形成することができない。この不都合を解消するには、用紙カセットＣＡに収容された用紙Ｓの向きを変更する必要がある（ユーザーによる作業が必要となる）。
【００８６】
そこで、制御部５は、用紙カセットＣＡに現在収容されている用紙Ｓの向きではパターン選択操作で選択されたパンチパターンに対応する位置にパンチ穴を形成することができないとき、用紙カセットＣＡに収容された用紙Ｓの向きの確認を促すメッセージを操作パネル４に表示させる。これにより、用紙カセットＣＡに収容された用紙Ｓの向きを変更する作業をユーザーに行わせることができる。
【００８７】
変形例として、パターン選択操作を受け付けるとき、パンチパターン情報（選択肢）として、複数ページ分の画像データにそれぞれ対応する複数ページ分のプレビュー画像を全て表示してもよい。この構成の場合、たとえば、複数ページ分の画像データのページ数が３ページであれば、パンチパターン情報（プレビュー画像）の表示数は３つとなる。３つのパンチパターン情報からユーザー所望のパンチパターンを選択するのはそれほど煩わしくない。しかし、たとえば、複数ページ分の画像データのページ数が十数〜数十ページになると、パンチパターン情報（プレビュー画像）の表示数が非常に多くなり、プレビュー画像を確認する作業などが大変になる。
【００８８】
そこで、上記変形例に構成において、所定条件が満たされたとき、パターン選択操作の受け付けを行わず、パンチ位置の設定を自動的に行ってもよい。たとえば、制御部５は、パターン認識処理で認識したパンチパターンが複数種存在すると判断した場合、複数ページ分の画像データのページ数が予め定められた閾値（たとえば、数十ページ（２０〜３０ページ））を超えていれば、所定条件を満たすと判断する。なお、所定条件を満たすか否かの判断基準となる閾値は任意に変更可能である（当該閾値の変更は操作パネル４がユーザーから受け付ける）。したがって、当該閾値を数ページ程度にすることもできる。
【００８９】
所定条件を満たすと判断した場合、制御部５は、パターン選択操作の受け付けを操作パネル４に行わせず、パターン認識処理で認識した複数種のパンチパターンのうち、複数ページ分の画像データの中で数が最も多いパンチパターンの種類を認識し、当該認識した種類のパンチパターンに対応する位置をパンチ位置に設定する。この構成では、ユーザーからすると、プレビュー画像の確認作業が省略されるので、利便性が良い。
【００９０】
なお、別の変形例として、複数ページ分の画像データのページ数が予め定められた閾値を超える場合に、パターン認識処理の処理対象とする画像データのページ数を減らしてもよい。たとえば、複数ページ分の画像データのページ数が予め定められた閾値を超える場合、制御部５は、複数ページ分の画像データのうち１ページ目から所定ページ目（たとえば、３ページ目）までの画像データだけをパターン認識処理の処理対象とする。この構成では、パターン認識処理を速やかに完了させることができる。
【００９１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００９２】
１  画像読取部
２  印刷部
３  後処理部
４  操作パネル
５  制御部
１００  画像形成装置
【図１】
2019022104.tif 000003
【図２】
2019022104.tif 000004
【図３】
2019022104.tif 000005
【図４】
2019022104.tif 000006
【図５】
2019022104.tif 000007
【図６】
2019022104.tif 000008
【図７】
2019022104.tif 000009
【図８】
2019022104.tif 000010
【図９】
2019022104.tif 000011